(57)【要約】【課題】  複数の表示部を設けて興趣を高める。【解決手段】  表面にカメラを裏面に表示部を有したトッププレート１２と、裏面に表示部を有した中間プレート５０〜５２と、及び、裏面に操作部を有したカバープレート１４とを共通のヒンジで回転自在に取り付け、カバープレート１４に対してトッププレート１２及び中間プレート５０〜５２を、正面輪郭が重なる収納位置から扇状に個別に拡げて撮影する。拡げたプレート１２，５０〜５２の枚数に応じて予め決めた撮影モードが自動的に選択され、拡げたプレートの表示部には、撮影モードに応じて画像処理した複数の画像がそれぞれ表示される。【選択図】        図１０
2005286652.tif 000002
【特許請求の範囲】
【請求項１】
画像を表示する表示部の表示面を裏面に設けた偏平なトッププレートと、前記表示面に重なる表面を有する偏平なカバープレートとを、正面視輪郭が重なるように各々の一端を共通のヒンジで回転自在に支持した携帯型電子機器において、
前記トッププレートとカバープレートとの一端を正面視輪郭において他端に比べて幅が細くなる形状に形成し、かつ、前記トッププレートの表面に撮影レンズが露呈するように前記ヒンジにカメラを内蔵したことを特徴とする携帯型電子機器。
【請求項２】
画像を表示する表示部の表示面を裏面に各々設けた複数の中間プレートを、前記共通のヒンジを使用して前記表示面を次のプレートの表面が覆うように前記トッププレートとカバープレートとの間に回転自在に取り付けたことを特徴とする請求項１記載の携帯型電子機器。
【請求項３】
前記トッププレート及び中間プレートは、カバープレートに正面視輪郭が重なる収納位置と輪郭の一部又は全部がカバープレートからはみ出す使用位置との間で回転し、任意の２枚を使用位置にし、かつ互いの表示面が重ならない位置に回転したときに正面視において略ハート型になる形状となっていることを特徴とする請求項１又は２記載の携帯型電子機器。
【請求項４】
前記トッププレート及び中間プレートは、カバープレートに正面視輪郭が重なる収納位置と輪郭の一部又は全部がカバープレートからはみ出す使用位置との間で回転し、使用位置に回転したプレートの表示部のみに画像を表示する画像表示制御手段を備えていることを特徴とする請求項２又は３記載の携帯型電子機器。
【請求項５】
請求項１に記載のトッププレート、又は、請求項２に記載のトッププレート及び中間プレートに設けられ、各プレートの回転位置での重力方向を検知して検知信号を送出する重力方向センサと、各重力方向センサから得られる信号にそれぞれ基づいて前記カメラで撮影した画像を観察方向から正立となるようにそれぞれ回転して前記表示部に表示する画像表示変更制御手段と、を備えたことを特徴とする請求項２ないし４いずれか記載の携帯型電子機器。
【請求項６】
複数の撮影モードを備え、前記トッププレート及び複数の中間プレートを収納位置から使用位置に回転した数に応じて前記撮影モードのうちの何れかの撮影モードを自動的に選択するモード選択制御手段を備えていることを特徴とする請求項２ないし５いずれか記載の携帯型電子機器。
【請求項７】
カメラの撮影レンズの前に開閉自在に設けられたレンズカバーと、前記トッププレート及び複数の中間プレートのいずれかを収納位置から使用位置に回転することに連動して前記レンズカバーを開き位置に移動するレンズカバー連動手段とを備えたことを特徴とする請求項２ないし６いずれか記載の携帯型電子機器。
【請求項８】
前記トッププレート及び複数の中間プレートのうちのいずれかのプレートを収納位置から使用位置に回転している数の分だけ、倍率、色調、及び撮影時間のうちのいずれかが異なる画像を複数作成する手段と、作成した複数の画像を使用位置にある各プレートの表示部に個別に表示する手段を備えていることを特徴とする請求項２ないし７いずれか記載の携帯型電子機器。
【請求項９】
前記各表示部に表示する画像のうちの所望する画像を選択する選択操作手段と、前記選択操作手段で選択した画像を記録する記録手段とを備えていることを特徴とする請求項２ないし８いずれか記載の携帯型電子機器。
【請求項１０】
前記カバープレートの裏面に、選択及び決定操作用のトラックパッドを設けたことを特徴とする請求項２ないし９いずれか記載の携帯型電子機器。
【発明の詳細な説明】
【技術分野】
【０００１】
本発明は、画像を表示する表示部を備えた携帯型電子機器に関するものである。
【背景技術】
【０００２】
従来、携帯型電子機器としては、操作部をもつ扁平な第１筺体に対して表示部をもつ扁平な第２筺体を、表示部の表示面と操作部の操作面とが相対するようにヒンジを介して二つ折り自在に設け、そのヒンジにカメラを備えたズームレンズ付き携帯電話が知られている（特許文献１）。この携帯電話では、第１筺体の表示面に対してカメラの撮像方向が直交方向であるため、撮影する向きに表示面が向くように、第１筺体をヒンジに対して９０度の角度で回転することができる構成にしている。
【０００３】
また、他の携帯型電子機器としては、表面に表示部を備えた第１筺体と表面に操作部を備えた第２筺体との一端を共通のヒンジで回転自在に取り付け、第１筺体の裏面と第２筺体の操作面とが相対して摺動する携帯電話が知られている（特許文献２）。
【０００４】
【特許文献１】特開２００３−３０９７５６号公報
【特許文献２】特開２００３−３３８８５７号公報（図１４，図１５、及び、図１６）
【発明の開示】
【発明が解決しようとする課題】
【０００５】
しかしながら、前述した携帯電話では、第１及び第２の筺体が扁平ではあるものの正面視輪郭が矩形となっているため、撮影するときにグリップしづらい。また、表示画面が１つしかないので、撮影した複数の画像を一つずつ表示するしかないので操作が煩わしという不都合があった。
【０００６】
本発明は、撮影するときにグリップし易いように工夫した携帯型電子機器を提供することを目的とする。また、多数の表示を一度に行えるように工夫した携帯型電子機器を提供することを第２の目的とする。
【課題を解決するための手段】
【０００７】
前記目的を達成するために、本発明の携帯型電子機器では、トッププレートとカバープレートとの一端を正面視輪郭において他端に比べて幅が細くなる形状に形成し、かつ、前記トッププレートの表面に撮影レンズが露呈するように前記ヒンジにカメラを設けたものである。これによれば、カバープレートからトッププレートを例えば１８０度の角度回転させて、トッププレートの表面に設けたカメラが正面に向くようにカバープレートをグリップして構え、トッププレートの裏面に設けた表示面を観察することで簡便に撮影が行える。しかも、トップカバーとカバープレートとを正面視輪郭が同じになる形状に形成することで、ヒンジ側の一端が他端に比べて細くなっているのでグリップし易い。
【０００８】
また、トッププレートとカバープレートとの２枚だけでなく、これらの間に複数の中間プレートを設けてもよい。複数の中間プレートには、裏面に表示部をそれぞれ設け、共通のヒンジを使用して表示面を次のプレートの表面が覆うように回転自在に取り付ける。これにより、
【０００９】
トッププレート及び複数の中間プレートの各々は、カバープレートに正面視輪郭が重なる収納位置と輪郭の一部又は全部がカバープレートからはみ出す使用位置との間で回転し、任意の２枚を使用位置にし、かつ互いの表示面が重ならない位置に回転したときに正面視において任意の２枚が略ハート型になる形状になり、美感を与える。
【００１０】
トッププレート及び複数の中間プレートは、カバープレートに正面視輪郭が重なる収納位置と輪郭の一部又は全部がカバープレートからはみ出す使用位置との間で各々回転可能である。そこで、収納位置のときには各プレートの表示部が背後のプレートの表面でカバーされるため、使用位置に回転したプレートの表示部のみに画像表示制御手段が画像を表示するようにすればよい。
【００１１】
トッププレート及び複数の中間プレートは、カバープレートに対して３６０度の範囲で各々回転可能である。これに対し表示部に表示する画像は、一回転位置でないと観察方向から正立しない。このため、請求項１に記載のトッププレートのみに、又は、請求項２に記載のトッププレート及び中間プレートの各々に設けられ、各プレートの回転位置での重力方向を検知して検知信号を送出する重力方向センサと、各重力方向センサから得られる信号にそれぞれ基づいて前記カメラで撮影した画像を観察方向から正立となるようにそれぞれ回転して前記表示部に表示する画像表示変更制御手段と、を備えるのが好適である。
【００１２】
表示部が複数ある場合、同じ画像を複数表示しても興趣に欠ける。そこで、トッププレート及び複数の中間プレートを収納位置から使用位置に回転した数に応じて撮影モードのうちの何れかの撮影モードを自動的に選択するモード選択制御手段を備える。例えば、通常撮影モード以外に、時系列的な画像を撮影する連写モード、色調を変える色調変更モード、倍率を変える倍率変更モードなどの複数の撮影モードを備えた場合、１枚のプレートを使用位置に回転した場合には通常撮影モードが、また２枚の場合には色調モードが、３枚の場合には倍率変更モードが、さらに４枚の場合には連写モードが自動的にそれぞれ選択されるように構成する。
【００１３】
さらに、トッププレート及び複数の中間プレートのうちのいずれかのプレートを収納位置から使用位置に回転している数に応じて倍率、色調、及び撮影時間のうちのいずれかが異なる複数の画像を作成する手段と、作成した複数の画像を使用位置にある各プレートの表示部にそれぞれ表示する手段を備える。これによれば、収納位置から取り出したプレートの数に応じて撮影モードが選択され、それに応じた複数の異なる画像が取り出したプレートの表示部に個別に表示されるから興趣を高めることができる。
【００１４】
このように１回のレリーズ操作に応答して異なる画像が各表示部に表示されると、どの画像を残しておくか選択する操作が必要がある。そこで、各表示部に表示する画像のうちの所望する画像を選択する選択操作手段と、前記選択操作手段で選択した画像を記録する記録手段とを備えている。このような操作は、カバープレートの裏面にトラックパッドを設けることで省スペースでも各種操作を行うことができ簡便である。
【００１５】
携帯型電子機器をズボンなどのポケットに入れておくと撮影レンズが傷つく。そこで、カメラの撮影レンズの前にレンズカバーを開閉自在に設け、トッププレート及び複数の中間プレートのいずれかを収納位置から使用位置に回転することに連動してレンズカバーを開き位置に移動するように構成するのが望ましい。
【発明の効果】
【００１６】
本発明の携帯型電子機器では、トッププレートとカバープレートとのヒンジ側の一端を、正面視輪郭において他端に比べて幅が細くなる形状に形成したから、撮影するときにグリップし易い。また、トッププレートとカバープレートとの間に中間プレートを複数設けた発明によれば、多数の表示を一度に行えるため、興趣を高めることができる。
【発明を実施するための最良の形態】
【００１７】
［実施形態１］
携帯型電子機器１０は、図１ないし図７に示すように、背面に表示部１１を有するトップカバー１２、及び、背面に操作部１３を有するカバープレート１４とから構成される。トップカバー１２の正面視輪郭形状は、詳しくは図３に示すように、小円部１５と大円部１６とを２つの接線１７，１８で結んだ略滴形状となっている。この輪郭を詳しく説明すると、大円部１６は、小円部に対して互いの中心１９，２０が水平方向に所定間隔離れた位置で、かつ、小円部１５の中心２０を通る水平線２１が一方の接線１７に接する位置まで垂直方向に離した位置に配されており、トッププレート１２は、これら小円部１５、大円部１６，及び接線１７，１８とで囲まれた輪郭形状となっている。カバープレートの正面視輪郭形状もトッププレートと同じ形状となっている。
【００１８】
トッププレート１２とカバープレート１４は、小円部１５の中心２０を通る軸（各プレート１２，１４の面に交差する方向の軸）に沿って設けたヒンジ２２により、トッププレート１２の表示部１１をカバープレート１４の表面が重なって覆うように、相対的に３６０度回転自在に支持されている。
【００１９】
トッププレート１２の表面には、撮影レンズ２３、測光窓２４、ＬＥＤを使用して発光するフラッシュバルブ用の発光窓２５が各々露呈して設けられている。撮影レンズ２３は、ヒンジ２２の軸に撮影光軸２３ａが一致する位置に設けられている。撮影レンズ２３の奥には、ＣＣＤなどの固体撮像素子が内蔵されている。これら撮影レンズ２３と固体撮像素子とでカメラ（撮像手段）を構成する。測光窓２４の奥には測光機構が内蔵されている。
【００２０】
カバープレート１４の背面に設けた操作部１３は、レリーズボタン２６や画像再生時に使用する十字式ボタン２７などから構成される。トッププレート１２は、その裏面とカバープレート１４の表面とが摺動する面となるように互いの正面視輪郭形状が重なる収納位置（図７に示す位置）と、互いの正面視輪郭がズレる範囲に回転した使用位置（例えば図１に示す位置）との間で回転する。なお、使用位置としては、表示面１１ａを背後から観察する観察姿勢において表示面１１ａがカバープレート１４から完全に露呈する位置であればどこの回転位置でもよい。
【００２１】
収納位置のときには、カバープレート１４の表面がトッププレート１２の表示部１１の表示面１１ａを背後からカバーする。表示面１１ａは、円形の窓枠から露呈されている。窓枠は、中心が大円部１６の中心１９に一致する位置に配されている。また、表示面１１ａの周りには表示面１１ａから僅かに突出した弾性部材２８がリング状に埋め込まれている。弾性部材２８は、互いのプレート１２，１４が相対的に回転するときにカバープレート１４の表面に擦れて傷が付かないように表示面１１ａを保護するとともに、カバープレート１４の表面との摩擦抵抗により収納位置のときに各プレート１２，１４同士が動かないように軽い力で保持する。
【００２２】
図７に示す収納位置では、電子機器１０の電源がＯＦＦし、図１及び図２に示したようにカバープレート１４に対してトッププレート１２を正面輪郭がズレるように回転した使用位置では、電源がＯＮして撮影スタンバイの状態に自動的にセットされる。
【００２３】
図８に示すように、トッププレート１２には、カメラ３０、信号処理回路３１、表示メモリ３２、表示部１１、フラッシュバルブ３３、画像メモリ３４、画像表示方向変更回路３５、及びこれらを統括的に制御する制御部３６が内蔵されている。また、カバープレート１４には、操作部１３が内蔵されている。操作部１３からの信号は、ヒンジ２２との間に設けた摺動子３８と摺動板４０とによりどの回転位置でも確実に制御部３６に送られる。
【００２４】
カメラ３０で撮像した画像信号は、信号処理回路３１でデジタル処理した画像データに変換されて画像表示方向変更回路３５を通って表示メモリ３２に取り込まれる。表示メモリ３２に取り込んだ画像データは、直ちに表示部１１、例えばＬＣＤにスルー表示される。制御部３６は、シャッタレリーズに応じて画像表示方向変更回路３５から出力される画像データを画像メモリ３４に取り込んで蓄積する。画像メモリ３４に蓄積した画像データは再生操作に応答して表示部１１に表示される。フラッシュバルブ３３は、測光機構で測光した被写体輝度が予め決めた基準レベルよりも低い場合に一定時間だけ発光する。
【００２５】
また、ヒンジ２２は、トッププレート１２に固定されている。カバープレート１４はヒンジ２２に対して回転する。カバープレート１４とヒンジ２２との間には、ヒンジ２２に対してカバープレート１４の回転角を検出する回転角検出手段３７が内蔵されている。回転角検出手段３７から得られる信号は制御部３６に送られ、制御部３６はこれら信号に基づいて収納位置と使用位置との判別を行って電源のＯＮ−ＯＦＦを制御する。
【００２６】
トッププレート１２をカバープレート１４に重ねた収納位置から引き出して撮影し易い回転位置まで回転させる。これにより撮影準備がスタンバイとなり、カメラで撮像した画像が表示面１１ａにスルー表示される。撮影は、カバープレート１４を片手でグリップし、表示面１１ａに写る画像を背後から観察しながらフレーミングを行い、その後にレリーズボタン２６を操作する。
【００２７】
ところで、固体撮像素子２９及び表示部１１は、トッププレート１２に固定されているため、カバープレート１４に対してトッププレート１２を回転すると一緒に回転する。表示面１１ａに表示される画像の向きは、トッププレート１２を回転させることで観察姿勢において正立にならない。このため、トッププレート１２には、重力方向を検知する重力方向センサー４１が内蔵されている。重力方向センサー４１は、重力方向を検知してそれに応じた信号を制御部３６に送る。
【００２８】
制御部３６は、その重力方向に応じた信号と回転角検出手段３７から得られる信号とに基づいてトップレート１２の重力方向に対する回転位置を割り出して、その時点の回転位置で画像を正立に表示する方向を認識し、それに応じた画像正立表示方向用の信号を画像表示方向変更回路３５に送る。画像表示方向変更回路３５は、画像正立表示方向用の信号に基づいて表示メモリ３２から画像データを読み出すアドレスを変えて観察姿勢に対して正立するように画像データを回転させて表示部１１に送る。これにより、その時点のトッププレート１２の回転位置のときに、表示部１１には、画像が観察姿勢で正立する向きで表示される。なお、カバープレート１４を一定に姿勢にしたときに、重力方向センサー４１が示す重力方向の調整をいつでも行えるように構成しておくと簡便である。
【００２９】
［実施形態２］
図９ないし図１３に示す携帯型電子機器４９は、トッププレート１２とカバープレート１４との間に複数枚、例えば３枚の中間プレート５０〜５２を設けたものである。中間プレート５０は、正面視輪郭形状がトッププレート１２と同じ形状となっており、ヒンジ２２によって各々回転自在に取り付けられている。各中間プレート５０の裏面には、表示部５３〜５５が各々設けられている。図１３に示すように、収納位置のときに表示部５３は背後の中間プレート５１の表面で、また表示部５４は背後の中間プレート５２の表面で、さらに表示部５５は背後のカバープレート１４の表面でそれぞれカバーされる。
【００３０】
中間プレート５０〜５２には、図１４に示すように、画像表示方向変更回路５７，５９，６１、及び表示メモリ５８，６０，６２を各々内蔵しており、トッププレート１２に設けた信号処理回路３１から出力される画像データは、各画像表示方向変更回路３５，５７，５９，６１にパラレルに送られる。各中間プレート５０〜５２とヒンジ２２との間には、摺動板７０〜７２と摺動子７３〜７５とによる摺動式接続手段が設けられている。
【００３１】
また、各中間プレート５０〜５２とヒンジ２２との間には、ヒンジ２２に対して中間プレート５０〜５２の回転角を検出する第２〜第４の回転角検出手段７６〜７８がそれぞれ設けられており、各回転角検出手段７６〜７８は、ヒンジ２２に対して各中間プレート５０〜５２の回転位置を検出して制御部３６に送る。制御部３６は、中間プレート５０〜５２の何れかが電源をＯＦＦにする収納位置からズレた回転位置（使用位置）に引き出したときに電源をＯＮして撮影スタンバイ状態にする。中間プレート５０〜５２の収納位置は、トッププレート１２及びカバープレート１４に正面視輪郭が重なる位置である。
【００３２】
また、各中間プレート５０〜５２には、重力方向センサー７９〜８１がそれぞれ内蔵されている。各表示メモリ５８，６０，６２には、画像データがそれぞれ書き込まれる。重力方向センサー７９〜８１は、各中間プレート５０〜５２にかかる重力方向を検知してそれに応じた信号を制御部３６に送る。制御部３６は、各信号に基づいて各中間プレート５０〜５２の回転位置を割り出し、それに応じた画像表示方向の信号を画像表示方向変更回路５７、５９，６１にそれぞれ出力する。画像表示方向変更回路５７、５９，６１は、画像表示方向の信号に基づいて表示メモリ５８，６０，６２から画像データを読み出すアドレスを変えて中間プレート５０〜５２ごとに観察姿勢に対して正立するように画像データを回転させて表示部５３〜５５に送る。
【００３３】
この実施形態では、ヒンジ２２を上にした姿勢でカバープレート１４をグリップし、トッププレート１２と３枚の中間プレート５０〜５２を各表示部１１，５３〜５５が重ならないように扇状に拡げて４個の表示部１１，５３〜５５を観察しながら使用することもできる（図１０参照）。また、例えばカバープレート１４に対してトッププレート１２と中間プレート５０〜５２との４枚のプレートのうちの任意の２枚を表示部１１，５３〜５５が重ならないように拡げると、その２枚のプレートは正面視輪郭がハート形の形状に観察され、看者に美感を与える（例えば図９参照）。この場合、取り出した２枚のプレート１２，５０の表示部１１，５３のみにスルー画像が表示される。すなわち、この実施形態では、制御部３６が収納位置から使用位置に取り出したプレートのみの表示部に画像を表示するように各表示部１２，５３〜５５の駆動を制御する。
【００３４】
また、この実施形態では、各プレート１２，５０〜５２に設けた表示部１１，５３〜５５にそれぞれ画像を表示することができるため、各中間プレート５０〜５２及びトッププレート１２に画像処理回路を各々内蔵することで、例えばスルー表示の画像、又はシャッタレリーズに応答して取り込んだ撮像画像を各画像処理回路により、各プレートごとでトリミング範囲を変えて疑似ズーム処理を各々行って作成した画像を各画像方向変更回路を通して各表示メモリ３２，５８，６０，６２に送ることで、倍率の異なる複数の画像を各表示部１２、５３〜５５に個別に表示するように構成することができる。ここで、中間プレート５０に内蔵した画像処理回路９１を図１５に示す。なお、各プレート１２，５０〜５２に画像処理回路９１を個別に設ける代わりに、１つの画像処理回路を例えばトップレート１２に内蔵し、その１つの画像処理回路で倍率の異なる複数の画像を作成するように構成してもよい。
【００３５】
複数の画像を個別に表示する場合、通常撮影モードと前述した倍率変更撮影モードとを設ける。制御部３６は、トッププレート１２又は中間プレート５０〜５２のうちの複数のプレートが使用位置に取り出されることに応答して自動的に倍率変更モードを選択し、それを実行する。また、トッププレート１２又は中間プレート５０のうちの１枚のプレートを取り出して撮影を行ったときには、通常の撮影モードが自動的に選択される。
【００３６】
また、このときの表示順番としては、各プレート１２，５０〜５２を拡げた順、例えば観察側から見て右回り並んだ表示部に画像が段階的に拡大する拡大順、又は縮小していく縮小順に表示することもできる。
【００３７】
また、プレートを使用位置に取り出すことに応じて制御部３６が自動的に撮影モードを選択する代わりに、カバープレート１４に設けた操作部１３にズームモード選択操作部を設け、ズームモード選択操作部で倍率変更モードを選択することで前述したような制御を制御部３６が行うように構成してもよい。また、この制御は、撮影する前に倍率変更モードを選択しておかなくても、撮像した後又は再生画像表示中に倍率変更モード選択操作部を操作することに応答して撮像した画像又はスルー表示画像、さらには再生画像を自動的に画像処理して各表示部１１，５３〜５４ごとで異なる倍率の画像を表示するように構成してもよい。
【００３８】
倍率の異なる複数の画像のうちの所望する画像を画像メモリ３４に記憶させるには、トッププレート１２及び中間プレート５０〜５２にタッチパネルなどの決定操作部を各々設け、所望する画像を表示するプレートの決定操作部を操作することで決定するように構成してもよい。図１２に示すように、タッチパネル９０としては、表示部１１，５３〜５５を設けたプレート１２，５０〜５２の少なくとも背面に露呈する位置に設けるのが好適である。また、別の方法としては、カバープレート１４の操作部１３に表示画像選択・決定操作部を設け、表示画像選択・決定操作部の操作により行うようにするのが好適である。なお、決定した画像を画像メモリ３４に取り込むには、各トッププレート１２及び中間プレート５０〜５２にＲＡＭを各々設け、表示画像選択・決定操作部で選択した画像を各画像処理回路からＲＡＭに一時的に記憶してから画像メモリに送ればよい。
【００３９】
なお、複数の疑似ズーム画像を各表示部１１，５３〜５５に表示する代わりに、１回のレリーズ操作で焦点距離を変えて複数回の撮影を行い、焦点距離を変えて取り込んだ複数の画像を各表示部１１，５３〜５５に個別に表示するようにしてもよい。この場合には、光学変倍を行うため、撮影レンズとしてズームレンズ又は多焦点可変レンズを使用する。
【００４０】
さらに、撮影モードとしては、連写モードとしてもよい。この場合、カバープレート１４の操作部１３に連写モード選択操作部を設け、連写モード選択操作部を操作して連写モードを選択する。連写モードでの撮影は、時系列的な複数の画像を自動的に撮像し、取り込んだ各画像を各表示部１１，５３〜５５に順に表示させるように制御部３６が制御する。連写回数は、連写モードでの撮影時にその時点で使用位置にあるプレートの数に合わせる。これによれば、使用位置にあるプレートの表示部の数だけ時系列的な画像を取り込むので、撮影回数を簡便に知ることができ、余分な撮影を行うことがないため迅速に表示することができる。
【００４１】
また、使用位置に取り出したプレートの枚数に応じて撮影モードを変える構成にしてもよい。この場合、プレートを使用位置に回転した数に応じて撮影モードのうちの何れかの撮影モードを自動的に選択するモード選択制御手段を備える。例えば、通常撮影モード以外に、時系列的な画像を撮影する連写モード、色調を変える色調変更モード、倍率を変える倍率変更モードなどの複数の撮影モードを備えた場合、１枚のプレートを使用位置に回転した場合には通常撮影モードが、また２枚の場合には色調モードが、３枚の場合には倍率変更モードが、さらに４枚の場合には連写モードが自動的にそれぞれ選択され、シャッタレリーズに応答してそのモードが自動的に実行されるように構成する。
【００４２】
カバープレート１の操作部１３で再生操作すると、画像メモリ３４に記録した画像が表示部１１，５３〜５５に表示される。このときも観察姿勢で正立する向きに画像を回転して表示部１１，５３〜５５に表示する。このとき、使用位置にある複数のプレートの表示部に、記録した順に複数の再生画像を表示するようにすると所望する画像を迅速に検索することができる。
【００４３】
カバープレート１４に設ける操作部１３としては、カバープレート１４の裏面に多数のボタンやスイッチ類を配するスペースがないため、トラックパッドを設けるのが望ましい。トラックパッドは、ポインティングデバイスの一種であり、カバープレート１４の裏面に設けたプラスチック板を指でなぞり、指がパッドをなぞるときの静電容量の変化を検知して、ポイントの位置を正確に算出する。ポイント位置は、表示部１１、５３〜５５にマウスカーソルとして表れる。このマウスカーソルの画層と表示部１１、５３〜５５にメニューや選択画面を表示する画層と重ねて表示することでモードの変更や決定などの選択操作を簡便に行える。
【００４４】
本実施形態の電子機器は、携帯型であるため、ズボンのポケットなどに入れて簡便に森運べる。このとき撮影レンズ２３に傷が付かないようにレンズカバーを設けておくのが望ましい。また、レンズカバーを一々手で開閉するのは手間となるため、トッププレート１２又は中間プレート５０〜５２のうちのいずれかを使用位置に取り出すことに連動して開き位置に、また全てのプレートが収納位置に移動ときに閉じ位置にそれぞれ移動するように構成するのが望ましい。
【００４５】
なお、各プレート１２，１４，５０〜５２の正面輪郭は、どのような形状でもよい。また、カバープレート１４に表示部を設けても良い。さらに、撮影光軸がヒンジ２２の回転軸に一致しない位置にカメラ３０を組み込んでも良い。さらにまた、カメラ３０をヒンジ２２に一体的に取り付け、トッププレート１２がカメラ３０に対して回転する構成にしてもよい。図９で説明した実施形態では３枚の中間プレート５０〜５２を設けているが、本発明ではこれに限らず、１枚でもよいし、又は４枚以上でもよい。また、撮影モードとしては、倍率変更モードや連写モードを例に説明しているが、本発明ではこれに限らず、周知の撮影モード、例えば露光値を変えた複数の画像を表示するモードなど、種々の撮影モードを本発明に採用することができる。
【図面の簡単な説明】
【００４６】
【図１】携帯型電子機器の使用状態を示す正面側斜視図である。
【図２】携帯型電子機器の使用状態を示す背面側斜視図である。
【図３】携帯型電子機器のトッププレートを示す正面図である。
【図４】携帯型電子機器のトッププレートを示す背面図である。
【図５】携帯型電子機器のカバープレートを示す正面図である。
【図６】携帯型電子機器のカバープレートを示す背面図である。
【図７】携帯型電子機器の収納状態を示す正面側斜視図である。
【図８】携帯型電子機器の電気的構成の概略を示すブロック図である。
【図９】３枚の中間プレートを取り付けた別の実施形態を示しており、２枚のプレートを使用位置に取り出した使用状態を示す正面側斜視図である。
【図１０】図９で説明した携帯型電子機器を示しており、４枚のプレートを使用位置に取り出した使用状態を示す正面側斜視図である。
【図１１】図９で説明した携帯型電子機器を示す背面側斜視図である。
【図１２】図１０で説明した携帯型電子機器を示す背面側斜視図である。
【図１３】図９で説明した携帯型電子機器の収納状態を示す正面側斜視図である。
【図１４】図９で説明した携帯型電子機器の電気的構成の概略を示すブロック図である。
【図１５】画像処理回路を内蔵した携帯型電子機器の別の例の電気的構成の概略を示すブロック図である。
【符号の説明】
【００４７】
１２  トッププレート
１３  操作部
１４  カバープレート
２２  ヒンジ
２３  撮影レンズ
２６  シャッタボタン
５０〜５２  中間プレート
【図１】
2005286652.tif 000003
【図２】
2005286652.tif 000004
【図３】
2005286652.tif 000005
【図４】
2005286652.tif 000006
【図５】
2005286652.tif 000007
【図６】
2005286652.tif 000008
【図７】
2005286652.tif 000009
【図８】
2005286652.tif 000010
【図９】
2005286652.tif 000011
【図１０】
2005286652.tif 000012
【図１１】
2005286652.tif 000013
【図１２】
2005286652.tif 000014
【図１３】
2005286652.tif 000015
【図１４】
2005286652.tif 000016
【図１５】
2005286652.tif 000017